(57)【要約】【課題】容器本体の口部に着脱可能に装着されるキャップ及び容器のキャップ部構造において、キャップの開閉のし易さ、及びキャップ内側の計量目盛の視認のし易さを向上させる。【解決手段】有蓋筒状の計量部２１における容器外方に突出する蓋部２１ａ側の周壁部２１ｂを覆う外殻部２３を備え、外殻部２３が計量部２１の蓋部２１ａ側の周壁部２１ｂをキャップ周方向で部分的にキャップ外方に露出させる切り欠き部２７を有する。【選択図】図２
2014009026.tif 000002
【特許請求の範囲】
【請求項１】
容器本体の口部に着脱可能に装着されるキャップにおいて、
有蓋筒状の本体部と、
回転操作を伴い前記口部に対して係合し、前記本体部の蓋部側の周壁部が容器外方に突出した状態で、該本体部を前記口部に固定する回転係合部と、
前記本体部の蓋部側の周壁部の外周を覆う外殻部とを備え、
前記外殻部が、前記本体部の蓋部側の周壁部を前記口部の周方向で部分的にキャップ外方に露出させる切り欠き部を有することを特徴とするキャップ。
【請求項２】
前記切り欠き部が、前記口部の径方向で相対する二箇所に設けられることを特徴とする請求項１に記載のキャップ。
【請求項３】
前記切り欠き部に、前記口部の周方向と交差する立壁部が形成されることを特徴とする請求項１又は２に記載のキャップ。
【請求項４】
前記本体部が、前記周壁部の内周面に計量目盛を記した計量部とされ、少なくとも前記周壁部における前記切り欠き部によってキャップ外方に露出する部位が、透明又は半透明とされることを特徴とする請求項１から３の何れか一項に記載のキャップ。
【請求項５】
前記回転係合部が、前記口部に螺合により係合することを特徴とする請求項１から４の何れか一項に記載のキャップ。
【請求項６】
請求項５に記載のキャップを具備する容器のキャップ部構造において、
前記キャップに設けられる当接部を前記口部に設けられる被当接部に当接させて、前記キャップの締め込み停止位置を規定する規定部を備えることを特徴とする容器のキャップ部構造。
【請求項７】
容器本体の口部に着脱可能に装着されるキャップにおいて、
有蓋筒状の本体部と、
回転操作を伴い前記口部に対して係合し、前記本体部の蓋部側の周壁部が容器外方に突出した状態で、該本体部を前記口部に固定する回転係合部と、
前記本体部の蓋部側の周壁部の外周を前記口部の周方向で部分的に覆う外殻部とを備えることを特徴とするキャップ。
【発明の詳細な説明】
【技術分野】
【０００１】
本発明は、容器本体の口部に着脱可能に装着されるキャップ及び容器のキャップ部構造に関する。
【背景技術】
【０００２】
一般に、液体洗剤、液体漂白剤、液体柔軟剤、溶剤等の液状物や、粒状洗剤、粒状漂白剤、粒状調味料等の粉粒物を収納する容器では、容器本体の口部にキャップを螺合により着脱可能に装着し、このキャップの着脱によって口部を開閉させる。前記キャップの中には、有蓋筒状の計量部の外周に螺合筒部を配置し、計量部における螺合筒部よりも上方（容器外方）に位置する周壁部を外殻部で覆って二重構造としたものがある（例えば、特許文献１参照）。この場合、単なる筒状の計量部の外観に円みを持たせる等のデザイン自由度を高めることができる。
【先行技術文献】
【特許文献】
【０００３】
【特許文献１】実用新案登録第３１５２６３９号公報
【発明の概要】
【発明が解決しようとする課題】
【０００４】
ところで、上記従来の構成において、比較的大径の螺合筒部の外面ではなく、その上方の外殻部の外面を把持してキャップを回転させる使用者が散見される。しかし、外殻部が円みのある外観の場合は特に、手指が滑り易いことが考えられ、キャップの開閉のし易さの面で改良の余地がある。
また、計量部の周壁部の内周面には刻印や印字による計量目盛が記されるが、キャップが透明又は半透明であっても、計量部の周壁部が外殻部で覆われた二重構造である場合には、キャップ外方から計量目盛が視認し難く、この点でも改良の余地がある。
【０００５】
そこで本発明は、容器本体の口部に着脱可能に装着されるキャップ及び容器のキャップ部構造において、キャップの開閉のし易さ、及びキャップ内側の計量目盛の視認のし易さを向上させることを目的とする。
【課題を解決するための手段】
【０００６】
上記課題の解決手段として、請求項１に記載した発明は、容器本体の口部に着脱可能に装着されるキャップにおいて、有蓋筒状の本体部と、回転操作を伴い前記口部に対して係合し、前記本体部の蓋部側の周壁部が容器外方に突出した状態で、該本体部を前記口部に固定する回転係合部と、前記本体部の蓋部側の周壁部の外周を覆う外殻部とを備え、前記外殻部が、前記本体部の蓋部側の周壁部を前記口部の周方向で部分的にキャップ外方に露出させる切り欠き部を有することを特徴とする。
請求項２に記載した発明は、前記切り欠き部が、前記口部の径方向で相対する二箇所に設けられることを特徴とする。
請求項３に記載した発明は、前記切り欠き部に、前記口部の周方向と交差する立壁部が形成されることを特徴とする。
請求項４に記載した発明は、前記本体部が、前記周壁部の内周面に計量目盛を記した計量部とされ、少なくとも前記周壁部における前記切り欠き部によってキャップ外方に露出する部位が、透明又は半透明とされることを特徴とする。
請求項５に記載した発明は、前記回転係合部が、前記口部に螺合により係合することを特徴とする。
請求項６に記載した発明は、請求項５に記載のキャップを具備する容器のキャップ部構造において、前記キャップに設けられる当接部を前記口部に設けられる被当接部に当接させて、前記キャップの締め込み停止位置を規定する規定部を備えることを特徴とする。
請求項７に記載した発明は、容器本体の口部に着脱可能に装着されるキャップにおいて、有蓋筒状の本体部と、回転操作を伴い前記口部に対して係合し、前記本体部の蓋部側の周壁部が容器外方に突出した状態で、該本体部を前記口部に固定する回転係合部と、前記本体部の蓋部側の周壁部の外周を前記口部の周方向で部分的に覆う外殻部とを備えることを特徴とする。
【発明の効果】
【０００７】
請求項１に記載した発明によれば、外殻部によりデザイン自由度を高めると共に、外殻部の切り欠き部を指掛かり部としてキャップの把持やトルク入力を容易にし、キャップの回転操作をし易くして口部への着脱を容易にすることができる。また、本体部を内容物の計量部とする場合、周壁部の切り欠き部での露出部分が透明又は半透明であれば、周壁部が全周に渡って外殻部に覆われた二重構造である場合と比べて、本体部内の計量目盛や内容物が視認し易くなり、計量具としての使い勝手を向上させることができる。
請求項２に記載した発明によれば、一対の切り欠き部によりキャップを手指で摘み易くし、かつ周壁部の露出部分を拡大することができる。
請求項３に記載した発明によれば、立壁部によりトルク入力をより容易にし、口部への着脱をより容易にすることができる。
請求項４に記載した発明によれば、周壁部の切り欠き部での露出部分から計量目盛や計量部内の内容物を視認し易くし、計量具としての使い勝手を向上させることができる。
請求項５に記載した発明によれば、外殻部の切り欠き部の把持により口部への螺合操作をし易くし、口部への着脱をより容易にすることができる。
請求項６に記載した発明によれば、キャップの螺合操作のし易さに伴う締め込み過ぎを制限することができる。
請求項７に記載した発明によれば、外殻部によりデザイン自由度を高めると共に、外殻部を避けた部位を指掛かり部としてキャップの把持やトルク入力を容易にし、キャップの回転操作をし易くして口部への着脱を容易にすることができる。また、本体部を内容物の計量部とする場合、周壁部の外殻部を避けた部位での露出部分が透明又は半透明であれば、周壁部が全周に渡って外殻部に覆われた二重構造である場合と比べて、本体部内の計量目盛や内容物が視認し易くなり、計量具としての使い勝手を向上させることができる。
【図面の簡単な説明】
【０００８】
【図１】本発明の実施形態における計量キャップ付き容器のキャップ周辺の軸線に沿う断面図である。
【図２】上記計量キャップ付き容器の計量キャップの斜視図である。
【図３】上記計量キャップを軸方向から見た平面図である。
【図４】上記計量キャップの外殻部側を径方向から見た側面図である。
【図５】上記計量キャップの切り欠き部側を径方向から見た側面図である。
【図６】図４のＶＩ−ＶＩ断面図である。
【図７】上記計量キャップの第一の変形例を示す図４に相当する側面図である。
【図８】上記計量キャップの第二の変形例を示す図２に相当する斜視図である。
【図９】上記計量キャップの第三の変形例を示す図２に相当する斜視図である。
【図１０】上記計量キャップの締め込み停止位置を規定する規定部を示す側面図である。
【図１１】上記規定部の変形例を示す側面図である。
【発明を実施するための形態】
【０００９】
以下、本発明の実施形態について図面を参照して説明する。
【００１０】
図１は、計量キャップ付き容器（容器）１の正立状態の頂部の縦断面図である。計量キャップ付き容器１は、内容物を収納する容器本体２と、容器本体２における前記頂部に位置する口部３に着脱可能に装着される計量キャップ（キャップ）２０とを備える。容器本体２は、内容物として液体洗剤、液体漂白剤、液体柔軟剤、溶剤等の液状物や、粒状洗剤、粒状漂白剤、粒状調味料等の粉粒物を収納する。容器本体２の口部３は、中空のボトル体４の内口部５と該内口部５に装着されたノズルキャップ６とで構成される。
【００１１】
ボトル体４は、例えばポリエチレン等のオレフィン系合成樹脂を用いたブロー成型により一体形成され、ノズルキャップ６は、例えばポリプロピレン等のオレフィン系合成樹脂を用いた射出成型により一体形成され、計量キャップ２０は、例えばポリエチレン等のオレフィン系合成樹脂を用いた射出成型により一体形成される。
【００１２】
内口部５は、上下方向に沿う円筒状をなし、ボトル体４の内部空間Ｋ１を前記正立状態の上方に開放させる。この内口部５に概略有底筒状のノズルキャップ６が上方から装着されると共に、このノズルキャップ６に概略有蓋筒状の計量キャップ２０が上方から装着される。内口部５、ノズルキャップ６及び計量キャップ２０は、前記正立状態の上下方向に沿う中心軸線Ｃ１（以下、単に軸線Ｃ１という。）を共有する。以下、軸線Ｃ１に沿う方向をキャップ軸方向、軸線Ｃ１に直交する方向をキャップ径方向、軸線Ｃ１中心の周回方向をキャップ周方向という。また、キャップ軸方向における内口部５の開放側をボトル上方、内口部５のボトル内方側をボトル下方という。
【００１３】
ノズルキャップ６は、内口部５にキャップ周方向の相対回転により螺合される本体側螺合筒部７と、本体側螺合筒部７のボトル上方側の端部からキャップ径方向内側に延びる環状の本体側フランジ部８と、本体側フランジ部８の内周方でボトル下方に膨出して内口部５内に入り込む有底円筒状の挿入部９と、挿入部９におけるボトル下方に凸のＶ字状の底壁部９ａの一方の傾斜面からボトル上方に断面Ｕ字状をなして延びる樋部１０と、本体側フランジ部８のキャップ径方向中間部からボトル上方に起立する円筒状の外口部１１と、本体側フランジ部８のキャップ径方向中間部からボトル下方に垂下して内口部５の内周に密接する円筒状の本体側シールリップ部１２とを有する。図中符号Ｓ１は挿入部９における円筒状の周壁部９ｂと樋部１０の底面との間の隙間を、符号１３は底壁部９ａの一方の傾斜面から最下端部にかけて形成されてボトル体４の内部空間Ｋ１を開口させる開口部をそれぞれ示す。
【００１４】
内口部５の外周には第一ネジ山５ａが螺旋状に突設され、本体側螺合筒部７の内周には第一ネジ山５ａを螺合させる第二ネジ山７ａが螺旋状に突設される。外口部１１の外周には第三ネジ山１１ａが螺旋状に突設され、計量キャップ２０の後述するキャップ側螺合筒部２２の内周には第三ネジ山１１ａを螺合させる第四ネジ山２２ａが螺旋状に突設される。
【００１５】
図１，２に示すように、計量キャップ２０は、ボトル上方から樋部１０を収容するように挿入部９内に入り込む有蓋円筒状の計量部（本体部）２１と、計量部２１のキャップ軸方向中間部の外周方に離間して設けられる円筒状のキャップ側螺合筒部（回転係合部）２２と、計量部２１の蓋部２１ａの外周縁部から下方に延びてキャップ側螺合筒部２２よりもボトル上方で計量部２１の周壁部２１ｂの外周を覆う外殻部２３と、キャップ側螺合筒部２２のボトル上方側の端部からキャップ径方向内側に延びて計量部２１のキャップ軸方向中間部又は外殻部２３の下端縁部に接続されるキャップ側フランジ部２４と、キャップ側フランジ部２４のキャップ径方向内側からボトル下方に垂下して外口部１１の内周に密接する円筒状のキャップ側シールリップ部２５とを有する。図中符号Ｓ２は計量部２１の周壁部２１ｂと外殻部２３との間の隙間を示す。
【００１６】
計量部２１の蓋部２１ａは、ボトル上方に凸のドーム状をなし、この蓋部２１ａの外周縁部から外殻部２３がボトル下方に湾曲するように延びる。蓋部２１ａ及び外殻部２３は連続する球状の外面を形成し、キャップ上部に円みのある外観を形成する。軸線Ｃ１と平行な断面（縦断面、図１参照）において、計量部２１内で蓋部２１ａと周壁部２１ｂとがなす角度は鈍角であり、計量部２１内における液状の内容物の液残りを抑える。蓋部２１ａの外面には、計量部２１の開放端部２１ｃを上方に向けて計量キャップ２０を載置する際の脚となる例えば五つの接地凸部２６が形成される。接地凸部２６は、計量キャップ２０を安定して載置できるように少なくとも三つあればよい。計量部２１の開放端部２１ｃはキャップ径方向外側に湾曲し、計量部２１内の液状の内容物を注ぎ出す際の周壁部２１ｂ外面への回り込みを抑える。
【００１７】
図３，４，６に示すように、外殻部２３は、例えばキャップ径方向で相対する二箇所に、それぞれキャップ軸方向と平行な切断面２７ａ，２７ｂに沿うように切り欠かれた切り欠き部２７を有する。換言すれば、外殻部２３は、計量部２１のボトル上方側におけるキャップ径方向で相対する二箇所にキャップ周方向で互いに離間して設けられる。
【００１８】
両切断面２７ａ，２７ｂは互いに平行をなし、両切断面２７ａ，２７ｂ間の距離は計量部２１の外径よりも小とされる。両切り欠き部２７には、計量部２１の周壁部２１ｂのボトル上方側の一部が露出部２１ｄとして配置される。両露出部２１ｄのキャップ周方向両側方には、それぞれ切断面２７ａ，２７ｂに沿う立壁部２８が形成される。キャップ側螺合筒部２２のボトル下方側の開放端部２２ｄよりもボトル上方側において、キャップ内部空間がキャップ外面に開口することはない。計量キャップ２０は透明又は半透明に構成されており、両露出部２１ｄでは、周壁部２１ｂの内周面に刻印又は印字等により記された計量目盛をキャップ外方から視認可能である。計量キャップ２０は、少なくとも両露出部２１ｄが透明又は半透明に構成されていればよい。
【００１９】
図３中符号Ｗは切断面２７ａ，２７ｂと直交する方向から見たときの露出部２１ｄの幅を、符号Ｆは切断面２７ａ，２７ｂに沿う方向から見たときの外殻部２３の幅をそれぞれ示す。露出部２１ｄの幅Ｗは、視認性や成型時の抜き勾配等を考慮すると、少なくとも２ｍｍは確保することが望ましい。
【００２０】
図５を参照し、図中線Ｌ１はキャップ螺合筒部の上端角部と外殻部２３の外面とに接する接線を示し、図中線Ｒ１は接線Ｌ１と外殻部２３との接点Ｔ１を通過するキャップ周方向に沿う仮想円を示す（図２，３参照）。両切り欠き部２７は仮想円Ｒ１を切り欠いており、キャップを接線Ｌ１に沿う平面上に載置した際の転がりを抑止する。計量キャップ２０の外面には、滑り止めのためのローレット（ナール）やリブが形成されてもよいが、少なくとも両露出部２１ｄの外面は、計量目盛を見易くするために平滑であることが望ましい。
【００２１】
図１，２を参照し、キャップ側螺合筒部２２の円筒状の外周面は、ボトル下方側の開放端部２２ｄから回り込んだ内容物が付着した場合、計量キャップ２０の着脱時に把持した手指が滑り易くなる。
これに対し、上記計量キャップ２０では、キャップ側螺合筒部２２の開放端部２２ｄから離間した外殻部２３の両切り欠き部２７を把持部とすることで、内容物の付着が抑えられると共に、キャップ側螺合筒部２２の円筒状の外周面よりも手指で摘み易く、かつキャップ周方向と交差する立壁部２８によってトルクも入力し易い。
【００２２】
すなわち、上記計量キャップ２０では、手指の滑りが十分に抑止され、かつ回転操作がし易く、口部３の開閉が容易になる。
また、計量部２１の周壁部２１ｂを覆う外殻部２３を部分的に切り欠き、計量部２１の周壁部２１ｂに部分的な露出部２１ｄを設けることで、計量部２１の周壁部２１ｂが全周に渡って外殻部２３で覆われた二重構造である場合と比べて、計量部２１内の計量目盛や内容物が視認し易くなる。
【００２３】
上記計量キャップ２０はトルクを入力し易いことから、計量キャップ２０が強く締め込まれてしまうことが考えられる。そこで、上記計量キャップ付き容器１では、外口部１１の第三ネジ山１１ａ及びキャップ側螺合筒部２２の第四ネジ山２２ａの少なくとも一方の螺合終端部に、他方の螺合先端部をキャップ周方向で突き当てる規制壁部が突設される。
【００２４】
図１０に示す例では、外口部１１の第三ネジ山１１ａの螺合終端部１１ｃに、キャップ側螺合筒部２２の第四ネジ山２２ａの螺合先端部２２ｂをボトル周方向で突き当てる規制壁部３１が連設される。この規制壁部３１とキャップ側螺合筒部２２の第四ネジ山２２ａの螺合先端部２２ｂとで、計量キャップ２０の締め込み停止位置を規定する規定部３１Ａが構成される。
【００２５】
逆に、キャップ側螺合筒部２２の第四ネジ山２２ａの螺合終端部２２ｃに、外口部１１の第三ネジ山１１ａの螺合先端部１１ｂをキャップ周方向で突き当てる規制壁部（不図示）が連設され、この規制壁部と外口部１１の第三ネジ山１１ａの螺合先端部１１ｂとで前記規定部が構成されてもよい。
【００２６】
前記規定部は、各ネジ山を利用したものに限らず、例えば図１１に示すように、キャップ側螺合筒部２２のボトル下方側の開放端部２２ｄに係合部３３を突設すると共に、開放端部２２ｄとキャップ軸方向で対向する本体側フランジ部８の上面部８ａに係合部３３をキャップ周方向で突き当てる被係合部３４を突設し、これら係合部３３及び被係合部３４とで、計量キャップ２０の締め込み停止位置を規定する規定部３４Ａを構成してもよい。
【００２７】
また、前記規定部はキャップ周方向での突き当てに限らず、例えばキャップ側螺合筒部２２のボトル下方側の開放端部２２ｄとこれをキャップ軸方向で突き当てる本体側フランジ部８の上面部８ａとで前記規定部を構成したり、計量部２１の開放端部２１ｃとこれをキャップ軸方向で突き当てる挿入部９の底部とで前記規定部を構成したり、樋部１０の先端部１０ａとこれをキャップ軸方向で突き当てる計量部２１の蓋部２１ａとで前記規定部を構成してもよい。さらに、前述の各規定部の構成を適宜組み合わせて用いてもよい。
【００２８】
以上説明したように、上記実施形態における計量キャップ２０によれば、計量部２１における容器外方（容器本体２及び計量キャップ２０の外方）に位置する蓋部２１ａ側の周壁部２１ｂを覆う外殻部２３を備えることで、周壁部２１ｂを型抜き等を考慮した単純な円筒状にしながらも外殻部２３によりデザイン自由度を高めることができると共に、外殻部２３が計量部２１の周壁部２１ｂをキャップ周方向で部分的に露出させる切り欠き部２７を有する（外殻部２３がキャップ周方向で部分的に設けられる）ことで、両切り欠き部２７を把持部として手指で摘み易くし、かつトルク入力もし易くすることができる。これにより、計量キャップ２０の回転操作をし易くして口部３の開閉を容易にすることができる。また、外殻部２３の切り欠き部２７にキャップ周方向と交差する立壁部２８を設けることで、計量キャップ２０へのトルク入力をより容易にして回転操作を容易にすることができる。
【００２９】
また、透明又は半透明の周壁部２１ｂが外殻部２３に覆われることなくキャップ外方に露出することで、計量部２１の周壁部２１ｂが全周に渡って外殻部２３に覆われた二重構造である場合と比べて計量部２１内の計量目盛や内容物が視認し易くなり、計量キャップ２０の使い勝手を向上させることができる。
【００３０】
なお、本発明は上記実施形態に限られるものではなく、例えば、外殻部２３の切り欠き部２７は二箇所に限らず、図７に示す計量キャップ１２０のように、切り欠き部２７が一箇所であってもよい。切り欠き部２７は三箇所以上であってもよいが、手指の掛かり易さや露出部２１ｄのキャップ周方向の幅による計量部２１の見易さを考慮すると、切り欠き部２７の数は少数であることが望ましい。
また、図８に示す計量キャップ２２０のように、外殻部２３とキャップ側螺合筒部２２との間のキャップ側フランジ部２４による段差を無くし、外殻部２３の外面とキャップ側螺合筒部２２の外面とを面一に形成することで、円みのある外観を強調した構成としてもよい。
他方、図９に示す計量キャップ３２０のように、計量部２１の蓋部２１ａを平坦状にして角張った外観にすると共に、計量部２１の開放端部２１ｃを上方に向けて計量キャップ２０を載置する際の安定性を高めた構成としてもよい。
【００３１】
本発明は、計量具として用いないキャップ及び該キャップを具備するキャップ付き容器に適用してもよい。キャップ及び口部の螺合構造は、キャップ側を雄ネジ、口部側を雌ネジとした構成でもよい。キャップを螺合により回転係合させるスクリューキャップ構造に限らず、例えばバヨネット係合等の回転係合を用いた構造でもよい。ノズルキャップを有さない容器本体（ボトル体）の口部に直接キャップを装着する容器に適用してもよい。
そして、上記実施形態における構成は本発明の一例であり、当該発明の要旨を逸脱しない範囲で種々の変更が可能である。
【符号の説明】
【００３２】
１  計量キャップ付き容器（容器）
２  容器本体
３  口部
２０，１２０，２２０，３２０  計量キャップ（キャップ）
２１  計量部（本体部）
２１ａ  蓋部
２１ｂ  周壁部
２２  キャップ側螺合筒部（回転係合部）
２２ｂ  螺合先端部（当接部）
２３  外殻部
２７  切り欠き部
２８  立壁部
３１  規制壁部（被当接部）
３１Ａ  規定部
３３  係合部
３４  被係合部
３４Ａ  規定部
【図１】
2014009026.tif 000003
【図２】
2014009026.tif 000004
【図３】
2014009026.tif 000005
【図４】
2014009026.tif 000006
【図５】
2014009026.tif 000007
【図６】
2014009026.tif 000008
【図７】
2014009026.tif 000009
【図８】
2014009026.tif 000010
【図９】
2014009026.tif 000011
【図１０】
2014009026.tif 000012
【図１１】
2014009026.tif 000013